(57)【要約】      （修正有）【課題】農産物等を収容する箱本体とその上にかぶせる蓋とを、簡単かつ一体的に組み立てることができる組立包装箱を提供する。【解決手段】方形または矩形の底板の四辺に、折線を介してほぼ対称的に同じ高さの各２枚の前後側板と左右側板とを設け、前後側板の左右端辺には折線を介してロック溝を有する鍵状片を先端に突設した連結片を設け、左右側板３の延長上に、折線を介し互いに突きあわせ可能な長さを有した蓋フラップを設ける。前後側板の上辺両端部に、天内フラップ片を折線を介して突設し、さらにまたその天内フラップ片に向かって上方に突出する段積用爪片を切込みにより設け、前後側板の下辺両端部に、段積用爪片が挿入できる段積用嵌合穴を設け、さらに蓋フラップの前後両側辺に円弧状に湾曲をした蓋ロック用挿入爪片を形成する。【選択図】図１
0003160659.tif 000002
【実用新案登録請求の範囲】
【請求項１】
方形または矩形の底板の四辺に、折線を介してほぼ対称的に同じ高さの各２枚の前後側板と左右側板とを設け、前記前後側板の左右端辺には折線を介してロック溝を有する鍵状片を先端に突設した連結片を設け、前記左右側板３の延長上に、折線を介し互いに突きあわせ可能な長さを有した蓋フラップを設け、
前記前後側板の上辺両端部に、天内フラップ片を折線を介して突設し、さらにまたその天内フラップ片に向かって上方に突出する段積用爪片を切込みにより設け、前記前後側板の下辺両端部に、前記段積用爪片が挿入できる段積用嵌合穴を設け、
さらに前記蓋フラップの前後両側辺に円弧状に湾曲をした蓋ロック用挿入爪片を形成してなることを特徴とする身蓋一体の組立包装箱。
【請求項２】
前記蓋フラップは、突きあわせ先端部に互いに雄雌状に接合でき、その接合部を押すと引き起こしの摘みとなる係合部を有していることを特徴とする請求項１に記載の組立包装箱。
【請求項３】
前記蓋フラップは桟部を残して切取ミシン目を備え、その切取ミシン目より蓋フラップを二分して切離すことを可能としたことを特徴とする請求項１又は２に記載の組立包装箱。
【考案の詳細な説明】
【技術分野】
【０００１】
本考案は、果実、野菜など主に農産物を詰めて、販売或いは出荷用包装箱として運搬したり、積重ねて使用することが可能な身蓋一体の組立包装箱に関するものである。
【背景技術】
【０００２】
従来、例えばトマト或いは柿、桃、ぶどうなどの農産物を詰める段ボール箱として、箱体の四周側壁を強度に優れるダブルウォール（２重側壁）にした、下記先行技術文献に示すようなトレイ状段ボール箱が使用されていた（特許文献１及び特許文献２参照）。
しかし、これら従来の段ボール箱は、農産物を収容する箱本体とその上にかぶせる蓋とが別体で、ワンピースとなっていないために、箱と蓋とを同時に組み立てることができなかった。
また、箱本体は、平板状のシート状態（展開状態）から組立時に長面及び短面の側壁を手で２重に折り立てる必要があるため、製函（組立）作業効率が悪く、紙の使用量も大きいという問題があった。
【０００３】
そのうえ、例えば生産農家が、果実の出荷時等の繁忙時に、未使用の箱を現場に持ち込んで、シートから組立てるため、農産物を箱詰めするときに、箱の組立に時間が取られるだけでなく、予め組立てて積置いた箱が崩れたり倒れたりすることがあり、保管場所が取られるなどの問題があった。
また、農産品をパックにして発送する業者等は組み立てられた箱本体とその蓋とを１セットとして用意し、箱詰め作業後に、本体の上に蓋をかぶせ、ステープルやテープ、ひも等で結束をする必要があったので包装経費が高くついていた。
【先行技術文献】
【特許文献】
【０００４】
【特許文献１】特開平９−２０７９４０号公報
【特許文献２】特開２００８−１１４９０９号公報
【考案の概要】
【考案が解決しようとする課題】
【０００５】
そこで本考案の目的は、１枚の平板状シートの状態から簡単に組立できる身蓋一体の包装箱を提案するものである。特に、従来のダブルウォール（２重側壁）タイプの段ボール箱に代わり、それよりも材料の使用量が少なく、かつ組立が容易なシングルウォールタイプである組立箱を提案するものである。
また本考案は、果実や農産物の出荷時等の繁忙時、生産農家が箱を作業現場に持ち込んだときに、積重ねた箱が崩れたり、倒れたりすることがなく、安定よく積重ね運搬することができ、さらにまた、店頭展示販売或いは出荷用包装箱として使用することができ、積重ねて運搬することも可能な組立箱を提案することにある。
【課題を解決するための手段】
【０００６】
上記課題を解決するために、本考案の請求項１は、方形または矩形の底板の四辺に、折線を介してほぼ対称的に同じ高さの各２枚の前後側板と左右側板とを設け、前記前後側板の左右端辺には折線を介してロック溝を有する鍵状片を先端に突設した連結片を設け、前記左右側板３の延長上に、折線を介し互いに突きあわせ可能な長さを有した蓋フラップを設け、
また前記前後側板の上辺両端部に、天内フラップ片を折線を介して突設し、さらにまたその天内フラップ片に向かって上方に突出する段積用爪片を切込みにより設け、前記前後側板の下辺両端部には、前記段積用爪片が挿入できる段積用嵌合穴を設け、
さらに前記蓋フラップの前後両側辺に円弧状に湾曲をした蓋ロック用挿入爪片を形成してなることを特徴とする身蓋一体の組立包装箱を提案するものである。
【０００７】
前記蓋フラップは、突きあわせ先端部に互いに雄雌状に接合でき、その接合部を押すと引き起こしの摘みとなる係合部を有している。
【０００８】
さらに前記蓋フラップは桟部を残して切取ミシン目を備え、その切取ミシン目より蓋フラップを二分して切離すことを可能とし、上面を開口したトレー型の包装箱としても使用することができる。
【考案の効果】
【０００９】
本考案の組立包装箱は、農産物等を収容する箱本体とその上にかぶせる蓋とを、手作業により一体的に組み立てることができる。
そして本考案は、封緘金具やテープ等の封緘用資材の使用を廃止することができるだけでなく、箱本体の紙の使用量が少なく、かつ組立加工及び作業コストの少ない身蓋一体の包装箱を提供することができる。
また本考案は、果実や農産物の出荷時等の繁忙時、生産農家が箱を作業現場に持ち込んだときに、積重ねた箱が崩れたり、倒れたりすることがなく、安定よく積重ね運搬することができ、さらにまた、店頭展示販売或いは出荷用包装箱として使用することができる効果を有している。
【図面の簡単な説明】
【００１０】
【図１】本考案の組立包装箱の展開状態を示した平面図である。
【図２】同上箱の組立て完成図である。
【図３】同上箱の蓋を開く途中を示す斜視図である。
【図４】未使用箱の段積状態を示した斜視図である。
【図５】天内フラップを折り曲げた状態を示す斜視図である。
【図６】運搬時の箱の段積状態を示した斜視図である。
【図７】他の実施例である組立包装箱の展開状態を示した平面図である。
【図８】同上実施例をトレーとして使用する状態を示した斜視図である。
【考案を実施するための形態】
【００１１】
本考案の実施の一形態を添付の図面に基づいて説明する。
図１は、例えばトマトのような農産物を収納する本考案の組立包装箱の展開図を示すものである。図に示すようにこの包装箱は１枚の段ボールシートのブランクより形成されている。このブランクは、一例としてほぼ長方形とされた底板１の長辺に折線を介して対称的に前後側板２，２が連接され、また底板１の短辺に同じように左右側板３、３が連接されている。前後側板２，２と左右側板３、３とは図示のようにほぼ同じ高さになるように設定されている。
【００１２】
符号５、５で示すものは、前後側板２，２の左右両端に折線を介して連接した連結片であって、それぞれの先端側に、ロック溝６を付根に設けた鍵状片４を突設している。なおロック溝６の深さは、対応する鍵状片４、４を組むとき、組立て易くするために、図のように、一方が長く、他方が短く設定されている。
また符号７，７で示すものは、左右側板３、３の延長上に折線を介して連接した一対の蓋フラップである。このフラップは、組立時に突きあわせて箱の開口面を閉じることができる蓋となる。蓋フラップの先端には、突きあわせた時に、オスメス状に接合できる凸部８ａと凹部８ｂが形成されている。その凸部と凹部は蓋フラップを開けるときに一方を押すと引き起こしのため摘み部として機能するようになっている。
【００１３】
符号９，９で示すものは、前後側板２，２の上辺側両端に折線を介して突設する天内フラップ片である。符号１０、１０は、その天内フラップ片９、９に向かって前後側板２の上辺から上向きに突き出る段積用爪片である。因みに符号１１、１１は内フラップ片９を折った後にできる切込孔である。この孔１１に挿入できる蓋ロック用の爪片１２が、蓋フラップ７の前後両側部に形成されている。因みに爪片１２は、図示のように、ほぼ円弧状に形成されているので、組立時に天内フラップ片９を内側に折った後にできる孔１１に差し込みやすくなっている。また、開封時にその孔１１に差し込まれる円弧状の爪片１２が孔１１に摺動するので、その摺動作用で蓋フラップ7の開閉がコントロールされ、蓋フラップ7がいっぺんに全開しないようになっている。
また、符号１３で示すものは、前後側板２，２の下辺側両端近傍に形成されている段積用爪片１１に対応する段積用嵌合孔である。さらに符号１４で示すものは、左右側板３，３の下辺側両端近傍に形成した連結片５の位置決め孔であり、符号１５で示すものはこれに対応して連結片５に設けた位置決め突起である。
【００１４】
ここで、上記シートの組立て手順を説明しておくと、本考案の包装箱は、農産物を収容する箱本体と、その上にかぶせる蓋とを、以下述べるように手作業により、糊付作業も要せず、簡単に組み立てることができるようになっている。
まず、底板１の四辺に側板２、２と側板３、３を引き起して、短側面側の連結板５に設けた突起１５を位置決め孔１４に嵌めて固定する。次に連結板５の先端の鍵状部のロック溝６を互いに噛み合わせることにより、箱の身となる部分を、シートの状態から箱状に予め組み立てて積重ねておく（この状態を一次組立状態とする）。なおロック溝６の深さは、前記のとおり、一方（上部のもの）が他方よりも短く設定されているので、鍵状片４、４を組立てるときに組み立て易くなっている。
【００１５】
このような側板のみを予め組んだ状態が一次組立状態であって、農産品を箱詰めする前に、未使用の箱の保管状態である。
図４はこの未使用の箱を積置きした状態を示している。図のように、前後側板２の上辺部両端から天内フラップ９が立ち上がり、この天内フラップ９により上段の箱がずれないように内側に係止されるので、出荷用に準備した箱が崩れたり、倒れたりすることがなく、安定よく積置きすることができる。従って、これにより生産農家または農産品をパックにして発送する業者等は現場で箱詰め作業を迅速に行うことができ、しかも、予め組み立てられた箱と封緘のための蓋とを１セットとして用意し、農産品の箱詰め作業後に続いて、本体の上に蓋をかぶせる作業が能率よく行えるのである。
【００１６】
農産品を箱内に収納したとき、図５のように、四隅の天内フラップ９を内側に倒すと、段積用爪片１０が立ち上がり、同時に円弧状の爪片１２が挿入できる孔１１が形成される。この孔１１に円弧状の爪片１２を差し込みながら、左右側板３、３を連結板５，５の外側に、また左右対の蓋フラップ７，７を底板１の上に折り曲げ、その両フラップを突き合わせることで凸部８ａと凹部８ｂを嵌め合わせ、箱蓋を閉じると天面を封緘することができる。図２は同上箱の組立て完成図である。
なお、箱蓋を開くときは、図３のように、両フラップの先端の一方に設けた凸部８ａを指で押し込み、凹部８ｂを指で引き起こせば、箱天面を開封することができる。
【００１７】
なお、箱内に農産物を詰め、店頭展示販売或いは出荷用包装箱として使用するものであるが、農産品を収納した状態の箱を出荷する時は、図６に示すように多数の箱を集積した状態で運搬することができる。この場合、上段の箱の前後側板２の上辺両端から上向きに突き出る段積用爪片１０は、下段の箱の前後側板２の下辺両端部に設けた嵌合穴１３に挿入されるので荷崩れが防止でき、安定よく積重ね運搬することができる。
【００１８】
次に本考案の第二の実施形態について説明する。
図７はこの実施形態の展開図を示すものである。この第二の実施例の包装箱は、先の第一の実施形態の同様に１枚の段ボールシートのブランクより形成されているが、図７に示したように、箱本体から蓋フラップを分離すことができるようにした点が先の実施例との最も異なる点である。即ち図７において、符号２０で示したものが切離し用ミシン目であって、底板１の左右に連接した側板３から延びる蓋フラップ７を２分割できるように形成されている。すなわち蓋フラップ７を必要に応じて切離し用ミシン目２０により桟板部７ｂと蓋部７ａとに分離できる構成になっている。
それ以外の構成は、前記の第一の実施態様と同じであるから、詳しい説明については省略する。なお図８は上記第２の実施形態の箱の組立図であって、箱の天面が蓋フラップで閉塞されていない点以外は第一の実施形態のものと変わるところはなく、野菜など主に農産物を詰め、店頭展示販売或いは出荷用包装箱として運搬したり、積重ねて使用することが可能になっている。
【００１９】
以上に述べた本考案の構成によれば、封緘金具やテープ等の封緘用資材の使用を廃止することができ、また側面を２重に折っていた従来の箱より紙の使用量が少なく、かつ組立加工コストの少ない身蓋一体の包装箱を提供することができるものである。
【符号の説明】
【００２０】
１  底板、２  前後側板、３  左右側板、４  鍵状片、５  連結片、６  ロック溝、
７  蓋フラップ、８ａ  凸部、８ｂ  凹部、９  内フラップ片、１０  段積用爪片、
１１  切込孔、１２  蓋ロック用爪片、１３  段積用嵌合孔、１４  位置決め孔、
１５  位置決め突起、２０  切離しミシン目
【図１】
0003160659.tif 000003
【図２】
0003160659.tif 000004
【図３】
0003160659.tif 000005
【図４】
0003160659.tif 000006
【図５】
0003160659.tif 000007
【図６】
0003160659.tif 000008
【図７】
0003160659.tif 000009
【図８】
0003160659.tif 000010